(57)【要約】【課題】出窓の屋根取付部と竪枠との間の止水性に優れ、取り付け作業が容易な出窓の提供を目的とする。【解決手段】出窓は、屋根と、竪枠と、水切りキャップとを備え、竪枠は、側方に突出する躯体取付部を有し、屋根は、袖部の鼻隠しの躯体側端部が水切り部のない略垂直な垂直側面部を有し、屋根の屋根取付板の下端が竪枠の躯体取付部の上端に突き合わせてあり、水切りキャップは、側面覆い部と正面覆い部とを有し、側面覆い部は、屋根の垂直側面部と竪枠の側面の上端を覆い、正面覆い部は、屋根取付板の下端と竪枠の躯体取付部の上端の正面突き合わせ部を覆い、水切りキャップの正面覆い部上部は、屋根取付板側に向けて傾斜した上部傾斜面を有し、正面覆い部下部は、竪枠の躯体取付部に向けて傾斜した下部傾斜面を有している。【選択図】  図１
2006265879.tif 000002
【特許請求の範囲】
【請求項１】
屋根と、竪枠と、水切りキャップとを備え、
竪枠は、側方に突出する躯体取付部を有し、
屋根は、袖部の鼻隠しの躯体側端部が水切り部のない略垂直な垂直側面部を有し、
屋根の屋根取付板の下端が竪枠の躯体取付部の上端に突き合わせてあり、
水切りキャップは、側面覆い部と正面覆い部とを有し、
側面覆い部は、屋根の垂直側面部と竪枠の側面の上端を覆い、
正面覆い部は、屋根取付板の下端と竪枠の躯体取付部の上端の正面突き合わせ部を覆っていることを特徴とする出窓。
【請求項２】
水切りキャップは、正面覆い部の上部に屋根取付板側に向けて傾斜する上部傾斜面が設けてあり、下部に竪枠の躯体取付部に向けて傾斜する下部傾斜面が設けてあることを特徴とする請求項１記載の出窓。
【発明の詳細な説明】
【技術分野】
【０００１】
本発明は、建物の屋外開口部に取り付ける出窓に関する。
【背景技術】
【０００２】
特開２００２−２２０９７６号公報には屋根の側面を止水するサイドキャップを開示する。
この構造では、屋根の側面部を止水しているが、屋根及び竪枠と、躯体側との止水性が不十分であり、漏水するおそれがある。
【０００３】
【特許文献１】特開２００２−２２０９７６号公報
【発明の開示】
【発明が解決しようとする課題】
【０００４】
本発明は上記背景技術に鑑みて、出窓の屋根取付部及び竪枠と、躯体側との間の止水性に優れ、取り付け作業が容易な出窓の提供を目的とする。
【課題を解決するための手段】
【０００５】
上記課題を解決するために、本発明に係る出窓は、屋根と、竪枠と、水切りキャップとを備え、竪枠は、側方に突出する躯体取付部を有し、屋根は、袖部の鼻隠しの躯体側端部が水切り部のない略垂直な垂直側面部を有し、屋根の屋根取付板の下端が竪枠の躯体取付部の上端に突き合わせてあり、水切りキャップは、側面覆い部と正面覆い部とを有し、側面覆い部は、屋根の垂直側面部と竪枠の側面の上端を覆い、正面覆い部は、屋根取付板の下端と竪枠の躯体取付部の上端の正面突き合わせ部を覆っていることを特徴とする。
水切りキャップは、正面覆い部の上部に屋根取付板側に向けて傾斜する上部傾斜面が設けてあり、下部に竪枠の躯体取付部に向けて傾斜する下部傾斜面が設けてある。
ここで、正面とは出窓の屋外側をいい、側方とは屋外側から出窓に向かって左右の横方向をいう。
【発明の効果】
【０００６】
請求項１記載の発明においては、屋根取付板の下端と、竪枠の上端との突き合わせ部を水切りキャップの正面覆い部にて覆っているので、この突き合わせ部の止水性が向上する。
また、水切りキャップの側面覆い部で、袖部の鼻隠しの躯体側端部に形成した垂直側面部と竪枠の側面を連続的に覆い且つ水切りキャップの正面覆い部と連続させたので、屋根と躯体側の間の止水性にも優れる。
請求項２記載の発明においては、水切りキャップの正面覆い部の上部と下部を傾斜面にしたので水切りが良い。
【発明を実施するための最良の形態】
【０００７】
本発明を適用した出窓の例を図面に基づいて以下説明する。
図３に出窓の横断面を示し、図４に正面部のａ−ａ線に相当する出窓の縦断面図を示し、図５に袖部のｂ−ｂ線断面図を示す。
図３に示すように、出窓の袖部に位置する竪枠１０を躯体の外壁部１、及び躯体開口部の側板２に取付部材１２ａにてネジ固定してある。
図３に示した例では出窓の正面部に引違い窓５を装着し、袖側に嵌殺し窓４を装着していて、引違い窓部と嵌殺し窓部４を立枠２０にて連結している。
なお、図３にて２点鎖線で示した部分は屋根の鼻隠し部を示す。
【０００８】
図４に示すように出窓の下側は、躯体１に底板３０を取り付け、底板３０から正面側に底板パネル４０を張り出して取り付け、その上に断熱材６等を入れて地板７を取り付けてある。
躯体の開口部上部には天板３を取り付けてある。
また、正面側には正面下枠８と正面上枠９を取り付けてその間に引違い障子及び網戸を装着している。
【０００９】
図５に示すように、袖部は底板パネル４０と袖下枠５０を連結し、袖上枠９ａと袖下枠５０との間に嵌殺し窓４を装着してある。
図４及び図５に示すように、正面上枠９、袖上枠９ａには鼻隠し７１を取り付け、その上に屋根７４を取り付けている。
【００１０】
次に、竪枠の上部構造を図１にて説明する。
屋根取付板７０から屋外側に張り出した鼻隠し７１には端部を外側に折り曲げた水切り部を形成してあるが、袖部の躯体側端部に位置する部分は水切り部７１のない略垂直な垂直側面部７３を有している。
図３に示すように、底板部から立ち上げた竪枠１０は図１に示すように竪枠本体部１１の側方に突出する躯体取付部１２を有している。
屋根取付板７０は、図１の正面覆い部６１の断面図に示すように、その下端を竪枠１０の躯体取付部１２の上端に突き合わせた状態になっている。
この竪枠と屋根取付板部との突き合わせ部を覆うように水切りキャップ６０を取り付けてある。
水切りキャップは部品図を図２に示すように、側面覆い部６２と正面覆い部６１とを有し、側面覆い部６２は袖部に位置する鼻隠しの垂直側面部７３を覆う鼻隠し側面覆い部６２ａと竪枠の側面とを覆う竪枠側面覆い部６２ｂを有している。
正面覆い部６１は、屋根取付板の下端と竪枠の躯体取付部の上端とに正面から跨り突き合わせ部を覆っていて、水切りキャップの正面覆い部上部は屋根取付板側に向けて傾斜した上部傾斜面６１ａを有し、正面覆い部下部は竪枠の躯体取付部に向けて傾斜した下部傾斜面６１ｂを有している。
水切りキャップ６０は、図２に示すように、側面覆い部６２の躯体側であって躯対取付部１２の反対側に屋根取付板７０への取付片６４及び鼻隠しの垂直側面部７３を挟み込む挟持片６５を有していて屋根取付板と鼻隠しを連結する役割もある。
また、側面覆い部の正面側端部には水切り部７２の段差を吸収する当接部６３を有している。
この当接部６３により正面覆い部６１が正面側に倒れ込むのを防止している。
【図面の簡単な説明】
【００１１】
【図１】出窓の袖部竪枠上部の止水構造を示す。
【図２】水切りキャップを示す。
【図３】出窓の横断面図を示す。
【図４】出窓のａ−ａ線に相当する縦断面図を示す。
【図５】出窓のｂ−ｂ線に相当する縦断面図を示す（袖部）。
【符号の説明】
【００１２】
１０    竪枠
１２    竪枠の躯体取付部
６０    水切りキャップ
６１    正面覆い部
６１ａ  上部傾斜面
６１ｂ  下部傾斜面
６２    側面覆い部
７０    屋根取付板
７１    鼻隠し
７２    水切り部
７３    鼻隠しの垂直側面部
【図１】
2006265879.tif 000003
【図２】
2006265879.tif 000004
【図３】
2006265879.tif 000005
【図４】
2006265879.tif 000006
【図５】
2006265879.tif 000007